(57)【要約】【課題】支持部材をヒンジ部に確実に保持するとともに、ヒンジ部からの発泡ウレタンの漏出を確実に防止し得る冷蔵庫を提供する。【解決手段】冷蔵庫本体の前面開口部を開閉するヒンジ式回転扉１３のヒンジ部２５に設けられた円筒形の保持筒３７に挿入される円筒形の支持部材３１の外周面に複数の爪部３３を形成し、この爪部３３を保持筒３７の下部の内周面に形成される係合突出部３９に係合すると共に、複数の爪部３３の先端部の外接円の径ａを支持部材３１の外径ｂよりも小さく構成する。【選択図】図４
2013068390.tif 000002
【特許請求の範囲】
【請求項１】
冷蔵庫本体の前面開口部を開閉するヒンジ式回転扉のヒンジ部に設けられた円筒形の保持筒の内部に円筒形の支持部材を挿入して構成されるヒンジ式回転扉を有する冷蔵庫であって、
前記保持筒の下部の内周面に形成される係合突出部と、
この係合突出部に係合するように前記支持部材の外周面に形成される複数の爪部と
を有し、
前記複数の爪部における外接円の径が当該支持部材の保持筒への挿入部分における外形よりも小である
ことを特徴とする冷蔵庫。
【請求項２】
前記保持筒に挿入したときに該保持筒の内周面に接触する支持部材の外周面に所定の間隔で設けた複数の環状の凸部からなる凹凸部を形成したことを特徴とする請求項１記載の冷蔵庫。
【請求項３】
前記保持筒の長さは、挿入される前記前記支持部材の長さの半分以上の長さであることを特徴とする請求項１または２記載の冷蔵庫。
【請求項４】
前記支持部材の外周面の前記凹凸部の凹部にウレタンフォームが漏出したときには、当該ウレタンフォームが凹部で固化し、前記保持筒と前記支持部材とを固定することを特徴とする請求項２または３記載の冷蔵庫。
【発明の詳細な説明】
【技術分野】
【０００１】
本発明は、冷蔵庫に関する。
【背景技術】
【０００２】
冷蔵庫本体の前面開口部を開閉するヒンジ式回転扉を有する冷蔵庫においては、冷蔵庫の状態を表示したり制御するための表示部やスィッチなどが扉の表面に設けられているものが多くある。これらの表示部やスィッチなどに結線される多数の電気コードは、前記ヒンジ式回転扉を支持するヒンジ部の孔に円筒形のブッシュ等の支持部材を挿通し、この支持部材の円筒形の孔内に多数の電気コードを通すようにしている。
【０００３】
また、この支持部材が挿通されるヒンジ部の孔には、支持部材を保持するための保持筒が設けられ、この保持筒内に支持部材を挿通して、支持部材を強固に保持するようにしている。
【０００４】
一方、ヒンジ式回転扉は、断熱性を確保するために、扉内部に発泡ウレタン（例えば、硬質発泡ウレタンフォーム）等の断熱性に優れた断熱材が高い発泡圧で充填される。このとき、前記ヒンジ部の周囲も発泡ウレタンの断熱材が充填されるが、このヒンジ部からも充填された発泡ウレタンが漏出しないことが必要である。
【０００５】
また、上述したように、ヒンジ部の孔に設けられた保持筒内に支持部材を挿通しているが、この保持筒と支持部材との間の隙間からも発泡ウレタンが漏出しないようにその周囲に粘着テープなどを巻回して発泡ウレタンが漏出することを防止している。
【先行技術文献】
【特許文献】
【０００６】
【特許文献１】特開平８−２１９６２７号公報
【発明の概要】
【発明が解決しようとする課題】
【０００７】
上述したように、ヒンジ部の孔に設けられた保持筒に支持部材を挿通して支持部材を保持しているが、従来は、この支持部材を保持している保持筒の長さが短かく支持部材を確実に保持できない場合には、支持部材が傾いたり、中心からずれたりしやすく、ヒンジ部の円滑な動作を阻害するという問題が生じる可能性がある。また、発泡ウレタンを高い発泡圧で扉１３内に充填すると、この発泡圧によって支持部材が傾いたり、中心からずれるという問題も可能性としてある。
【０００８】
また、保持筒と支持部材との間の隙間からも発泡ウレタンが漏出しないようにその周囲に粘着テープを巻回しているが、従来は、保持筒の長さが短いとともに、保持筒と支持部材の外周部には段部などの凹凸があるため、粘着テープを巻回しても、両者の隙間を完全に塞ぐことが困難であり、この部分から高い発泡圧で充填される発泡ウレタンが漏出するという問題が生じる可能性もある。
【０００９】
更に、支持部材を保持筒で保持するために、前記保持筒内に支持部材を挿通した後、両者を固定するために、周壁にコの字状の切れ目を形成して、弾性を保持しつつ揺動可能な爪部を構成し、この保持筒の周壁から支持部材に向けて突出する爪部を、支持部材の内周面に押圧したり、支持部材の係合部に係合させることにより支持部材を保持筒に固定するようにしている。
【００１０】
しかしながら、この複数の爪部は、保持筒の周壁にコの字状の切れ目を形成して構成されているものであるため、この切れ目から発泡ウレタンが保持筒の内部に漏出するおそれがある。そのため、このコの字状の切れ目を爪部とともに粘着テープで塞ぐようにしているが、爪部が保持筒の周壁から支持部材に向けて突出していることから粘着テープの巻回には注意深い作業が要求され、そのため作業性の低下が懸念される。
【００１１】
本発明は、上記に鑑みてなされたもので、その目的とするところは、支持部材をヒンジ部に確実に保持するとともに、ヒンジ部からの発泡ウレタンの漏出を確実に防止し得る冷蔵庫を提供することにある。
【課題を解決するための手段】
【００１２】
実施形態の冷蔵庫は、冷蔵庫本体の前面開口部を開閉するヒンジ式回転扉のヒンジ部に設けられた円筒形の保持筒の内部に円筒形の支持部材を挿入して構成されるヒンジ式回転扉を有する冷蔵庫であって、前記保持筒の下部の内周面に形成される係合突出部と、この係合突出部に係合するように前記支持部材の外周面に形成される複数の爪部とを有し、前記複数の爪部における外接円の径が当該支持部材の保持筒への挿入部分における外形よりも小であるように構成する。
【図面の簡単な説明】
【００１３】
【図１】本発明の一実施形態に係わる冷蔵庫の側部から見た断面図である。
【図２】図１に示す冷蔵庫のヒンジ式回転扉の最上部に取り付けられている扉キャップを示す部分分解拡大斜視図である。
【図３】図２に示す扉キャップのヒンジ孔に挿入される支持部材を示す正面図である。
【図４】図２に示す扉キャップのヒンジ孔に支持部材を挿入した状態を示す断面図である。
【図５】図３に示した支持部材の爪部に保持筒の係合突出部を係合させた状態を示す側面図である。
【図６】図４のように保持筒内に支持部材を挿入して構成されるヒンジ部に対して冷蔵庫本体側のシャフトを取り付けるとともに、支持部材の孔で構成されるヒンジ孔内に複数の電気コードを挿入した状態を示す断面図である。
【発明を実施するための形態】
【００１４】
以下、図面を用いて、本発明を実施するための形態(以下、実施形態と称する)を説明する。
【００１５】
図１は、本発明の一実施形態に係わる冷蔵庫の側部から見た断面図である。なお、同図において、左側が冷蔵庫１の前側であり、右側が後側である。同図に示す冷蔵庫１は、その最上部に冷蔵物を冷蔵する冷蔵室３が設けられ、この冷蔵室３の直下には野菜室５が設けられ、この野菜室５の下に温度切替室７とこの温度切替室７の横に図示しないが製氷室とが並んで設けられ、この直下の最下部には冷凍室１１が設けられている。
【００１６】
前記冷蔵室３の前面開口部には、ヒンジ式回転扉（以下、単に扉と称する）１３が回転可能に取り付けられ、冷蔵室３の前面開口部を開閉し得るようになっている。なお、この扉１３は、面材１３ａと内壁１３ｂにより厚みをもって構成され、この面材１３ａと内壁１３ｂとの間に断熱材としての発泡ウレタンが充填され、扉１３の断熱性を向上するようにしている。また、扉１３の最上部には、ヒンジ部が一端に構成された扉キャップ２１が取り付けられている。
【００１７】
この扉キャップ２１は、図２に部分分解拡大斜視図で示すように、扉１３の上端部をほぼ同一の大きさで全体的に覆うように構成される上カバー２３を有し、この上カバー２３の一端部には、ヒンジ部２５が構成されている。
【００１８】
ヒンジ部２５は、上カバー２３のほぼ厚みほどの方形状の窪みである凹部２７と、この凹部２７の外側よりに偏った位置にヒンジ孔２９が形成されて構成される。このヒンジ孔２９は、図４を参照するに、その周縁部から凹部２７の下方に伸びるように円筒形の長さのある保持筒３７が形成され、この保持筒３７の上端の周縁部、ヒンジ孔２９開口部には、後述する支持部材３１の最上部の鍔部３１ａと掛合する段部３７ａが形成され、さらに下端部の内周面には内側に突出する複数個（本実施形態では４個）の係合突出部３９が形成される。この保持筒３７の垂れ下がり長さは、その内径の２倍前後である。また、このヒンジ孔２９には、後述する、ヒンジ孔２９の上方に示す円筒形の支持部材３１（ブッシュとも称する）が挿入される。
【００１９】
支持部材３１は、例えばポリアセタール樹脂で構成され、図３に拡大して示すように、最上部に鍔部３１ａを有し、この鍔部３１ａの下側に複数組（本実施形態では４組）の環状の凸部とその間の凹部からなる凹凸部３１ｂが形成され、さらに凹凸部３１ｂの下側には下方が小径となるように緩やかなテーパ状に形成された延長部３５が形成される。また、この延長部３５上部の外周面には、複数個（本実施形態では４個）の固定的な凸部で構成される爪部３３が突出して形成されている。なお、支持部材３１の全長はその外径の大凡３倍から４倍の長さとなる。
【００２０】
以上のように構成される支持部材３１は、図４に示すように、扉キャップ２１のヒンジ孔２９から保持筒３７に挿入される。そして、この保持筒３７内に挿入される支持部材３１の最上部の鍔部３１ａは、保持筒３７の上端の周縁部に形成された段部３７ａと掛合して、当該支持部材３１を保持筒３７内に保持する。このとき支持部材３１の凹凸部３１ｂの凸部は、保持筒３７の内周面に当接するようになっている。
【００２１】
また、支持部材３１の中程に形成された複数の爪部３３は、保持筒３７の内周面上に形成された係合突出部３９に係合して固定される。図５は、この係合突出部３９と爪部３３とが係合した状態を示す図である。なお、この係合突出部３９が形成されている保持筒３７は、掛合状態を明確にすると共に、図の簡単化のため図示を省力している。
【００２２】
図５に示すように、爪部３３と係合している係合突出部３９は、横方向に伸びた水平部の左端に下向きに尖った三角形の角部３９ａが形成され、前記水平部の右端は下方に直角に折曲して突出部３９ｂが形成されている。そして、支持部材３１の爪部３３は、保持筒３７の係合突出部３９の角部３９ａと突出部３９ｂとの間の水平部に当接、すなわち係合している。なお、爪部３３も係合突出部３９もそれぞれ複数、本実施形態では４個ずつ設けられているものであるため、この複数の爪部３３および係合突出部３９のそれぞれの間は、これらの爪部３３や係合突出部３９などのような突出部がない滑らかな、それぞれの周面となっている。
【００２３】
なお、図４に示すように、保持筒３７の中に支持部材３１を挿入する場合に、支持部材３１の中程の外周面に形成された爪部３３の外側に突出した先端部が保持筒３７の係合突出部３９に衝突しないように保持筒３７の中に支持部材３１を挿入する。
【００２４】
また図４に示すように、支持部材３１の複数の爪部３３の外側に突出した先端部で描く外接円の直径をａとし、支持部材３１の鍔部３１ａより下方の凹凸部３１ｂの外径、もしくは保持筒３７の係合突出部３９がない部分の内周面の内径をｂとするとき、直径ａの方が内径ｂよりも小さいように両者は形成されている（ａ≦ｂ）。
【００２５】
従って、保持筒３７の中に支持部材３１を挿入する場合、支持部材３１の爪部３３がある部分を保持筒３７の係合突出部３９がない部分に合わせながら支持部材３１を保持筒３７内に挿入すれば、支持部材３１の爪部３３の先端が保持筒３７の係合突出部３９に当たることはなく、保持筒３７の内周面に沿って円滑に挿入することができる。
【００２６】
さらに詳しくは、保持筒３７の中に支持部材３１を挿入して、図５に示すように、保持筒３７の係合突出部３９に支持部材３１の爪部３３を係合させるには、支持部材３１を保持筒３７の中に挿入する場合に、保持筒３７の係合突出部３９がない部分を狙って支持部材３１を保持筒３７の中に上方から挿入し、支持部材３１の爪部３３が保持筒３７の係合突出部３９を下方に過ぎた位置において支持部材３１を図５において矢印２００で示すように回転させる。
【００２７】
このように支持部材３１を回転させると、支持部材３１の爪部３３は、保持筒３７の係合突出部３９の角部３９ａを押圧しながら乗り越え、図５に示すように、爪部３３は、係合突出部３９の角部３９ａと突出部３９ｂとの間の水平部に係合し固定される。なお、上記説明では、支持部材３１を回転させると説明したが、逆に保持筒３７を逆方向に回転させて停止、固定されるようにしてもよいものである。
【００２８】
なお、上記実施形態において、複数の爪部３３は、支持部材３１の外周面に突出して形成されているものであるとともに、係合突出部３９も保持筒３７の外周面に固定的に突出して形成されているものであって、周壁に切れ目を入れて押圧によって内側に揺動する爪部が形成されているものでなく切れ目が無いため、このような切れ目から発泡ウレタンが支持部材３１の内部に漏出することはない。
【００２９】
図６は、図４のように保持筒３７内に支持部材３１を挿入して構成されるヒンジ部２５に対してシャフト４１、電気コード４５および粘着テープ４９を配設した状態を示す断面図である。すなわち、図６においては、図４に示したように、保持筒３７内に支持部材３１を挿入して構成されるヒンジ部２５を有する扉１３を冷蔵庫本体に対して回転させるためのシャフト４１を取り付けるとともに、ヒンジ孔２９および支持部材３１の中に上述した表示部やスィッチなどに対する複数の電気コード４５を挿入し、更に支持部材３１と保持筒３７先端との境界の外周面および支持部材３１先端開口を塞ぐように粘着テープ４９を巻回した状態を示している。これにより支持部材３１と保持筒３７との間、および支持部材３１先端から発泡ウレタンが支持部材３１の内部に漏出することが防止される。
【００３０】
なお、この粘着テープ４９は、支持部材３１と保持筒３７先端との境界の外周面を巻回するようにし、支持部材３１先端はシール材４７によって塞ぐようにしても良い。このシール材４７は、シリコン樹脂等が好適であり、粘着テープ４９を支持部材３１先端まで巻回したときには、電気コード４５間を埋める程度だけ充填すれば、支持部材３１先端の開口を完全に封止することが可能である。
【００３１】
具体的には、図６において点線で示すシャフト４１は、ヒンジ孔２９内に挿入される円筒形状のものであって、上端部が広がった鍔部４１ａを有し、この鍔部４１ａは、ヒンジ部２５の凹部２７内に配設された座金板４３の孔に掛けられ、扉１３が回転するようになっている。この座金板４３は、図２に二点鎖線で示すように、扉１３を冷蔵庫１本体に揺動自在に取り付けるための取付補助板である。またシャフト４１は、例えば鉄などの金属で構成され、冷蔵庫の扉１３を全体的に支持するとともに、このシャフト４１が座金板４３に対して回転し、これにより扉１３が回転するようになっている。
【００３２】
また、シャフト４１の孔および支持部材３１の孔の内部には、上述したように、扉１３の表面に設けられている表示部やスィッチなどに対する複数の電気コード４５が挿入されている。このように複数の電気コード４５が挿入されたシャフト４１および支持部材３１の孔内には、複数の電気コード４５の間も含んでシール材４７が隙間がないように充填され、これにより支持部材３１およびシャフト４１の孔から発泡ウレタンが漏出することを防止している。
【００３３】
さらに、保持筒３７と支持部材３１との間の隙間、すなわち保持筒３７の下端部の周縁部と支持部材３１の中程の外周面との間の隙間および前記係合突出部３９と爪部３３との係合部から発泡ウレタンが漏出することを防止するために、保持筒３７と支持部材３１の外周面の前記隙間を中心とした上下には、粘着テープ４９が貼付されている。
【００３４】
以上のように構成される冷蔵庫１において、支持部材３１は、保持筒３７の中に挿入されて保持されるが、保持筒３７は、その長さが比較的長いため、この長い保持筒３７によって支持部材３１は、堅固に保持され、発泡ウレタンの発泡圧によって支持部材３１の中心位置がずれたり、片寄ることがなくなるとともに、支持部材３１が不安定に動くようなこともなく、冷蔵庫１の組み立て時の作業性を向上することができ、また扉１３の不良も改善することができる。また、支持部材３１と保持筒３７の両者が重なり合っている部分が長いため、この長い両者の間から発泡ウレタンが漏出することもない。
【００３５】
また、支持部材３１の凹凸部３１ｂの凸部が保持筒３７の内周面に当接しているため、この部分から発泡ウレタンが漏出することも少ない。さらに、仮に支持部材３１の凹凸部３１ｂと保持筒３７の内周面との間に発泡ウレタンが入り込んだとしても、この入り込んだ発泡ウレタンは、凹凸部３１ｂの凹部に回り込んだ後、固化することにより、支持部材３１は保持筒３７に更に堅固に固定され、保持筒３７の中で不安定に遥動することがないとともに、この部分から発泡ウレタンが更に漏出することもない。
【００３６】
さらに、保持筒３７と支持部材３１との間の隙間、すなわち保持筒３７の下端部の周縁部と支持部材３１の中程の外周面との間の隙間および前記係合突出部３９と爪部３３との係合部を含む保持筒３７と支持部材３１の外周面の前記隙間を中心とした上下には、粘着テープ４９が貼付されているため、この部分から発泡ウレタンが漏出することを防止することができる。
【００３７】
なお、本実施形態においては、保持筒３７は従来に比較して比較的長いとともに、保持筒３７と支持部材３１の外周部には段部などの凹凸がないため、粘着テープ４９を両者の間に隙間などがないように両者に跨って滑らかに貼付でき、この粘着テープ４９を貼付された部分から発泡ウレタンが漏出することもない。
【００３８】
またさらに、従来は、爪部や係合部などを形成するために、支持部材３１や保持筒３７に切れ目を複数形成していたが、本実施形態では、係合突出部３９や爪部３３を形成するために、このような切れ目を支持部材３１や保持筒３７に形成する必要がないため、このような切れ目から発泡ウレタンが漏出することもない。
【００３９】
さらに、図４に示すように、複数の爪部３３の先端部で描く円の直径をａとし、保持筒３７の内周面の内径をｂとすると、直径ａの方が内径ｂよりも小さいように両者は形成されているため、保持筒３７の中に支持部材３１を挿入する場合、支持部材３１の爪部３３を保持筒３７の係合突出部３９がない部分に合わせながら支持部材３１を保持筒３７内に挿入すれば、支持部材３１の爪部３３が保持筒３７の係合突出部３９に当たることはなく、保持筒３７の内周面に沿って円滑に挿入することができる。
【００４０】
本発明の実施形態を説明したが、この実施形態は、例として提示したものであり、発明の範囲を限定することは意図していない。この新規な実施形態は、その様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４１】
1  冷蔵庫
3  冷蔵室
５  野菜室
７  温度切替室
１１  冷凍室
１３  扉
２１  扉キャップ
２３  上カバー
２５  ヒンジ部
２７  凹部
２９  ヒンジ孔
３１  支持部材
３１ａ  鍔部
３１ｂ  凹凸部
３３  爪部
３５  延長部
３７  保持筒
３９  係合突出部３９
４１  シャフト４１
４３  座金板
４５  電気コード
４７  シール材
４９  粘着テープ
【図１】
2013068390.tif 000003
【図２】
2013068390.tif 000004
【図３】
2013068390.tif 000005
【図４】
2013068390.tif 000006
【図５】
2013068390.tif 000007
【図６】
2013068390.tif 000008